(57)【要約】【課題】  入力された画像データに画像処理を実施した結果を、通常の画像データの代わりに出力、又は着脱可能な外部Ｉ／Ｆに出力すると共に、内部情報を画像データに置き換えることで、良好な画像出力を得るための設定パラメータ調整を簡易化可能とした画像形成装置とその画像形成方法を提供する。【解決手段】  画像形成装置に通常設けられる画像出力Ｉ／Ｆとは別個に、着脱可能な画像出力Ｉ／Ｆを設けると共に、所望の画像出力データを生成するための画像処理演算の途中又は演算終了した画像データ、及び、該画像データからなる画像データ信号の演算実行位置を示す画像基準信号を、任意の出力先へセレクト出力可能とする手段を設ける。【選択図】  図４
2006013635.tif 000002
【特許請求の範囲】
【請求項１】
画像形成装置に通常設けられる画像出力Ｉ／Ｆとは別個の着脱可能な画像出力Ｉ／Ｆと、
所望の画像出力データを生成するための画像処理演算の途中又は演算終了した画像データ、及び、該画像データからなる画像データ信号の演算実行位置を示す画像基準信号を、任意の出力先へセレクト出力可能とする手段と、
を備えたことを特徴とする画像形成装置。
【請求項２】
前記所望の画像出力データを生成するための画像処理演算を実行する演算回路の演算結果が特定の条件に一致した場合に、該演算結果からなる固定データを、任意の出力先へ出力する出力モードを設けたことを特徴とする請求項１記載の画像形成装置。
【請求項３】
前記所望の画像出力データを生成するための画像処理演算を実行する演算回路の演算結果が特定の条件に一致した場合に、該特定の条件別に、該演算結果を基として出力値を変化させることを特徴とする請求項１又は２記載の画像形成装置。
【請求項４】
画像形成装置に通常設けられる画像出力Ｉ／Ｆとは別個に設けられた着脱可能な画像出力Ｉ／Ｆを用いて、所望の画像出力データを生成するための画像処理演算の途中又は演算終了した画像データ、及び、該画像データからなる画像データ信号の演算実行位置を示す画像基準信号を、任意の出力先へセレクト出力可能とする工程を備えたことを特徴とする画像形成方法。
【請求項５】
前記所望の画像出力データを生成するための画像処理演算を実行する演算回路の演算結果が特定の条件に一致した場合に、前記画像形成装置に設けられた固定データ出力モードにより、該演算結果からなる固定データを、任意の出力先へ出力する工程を備えたことを特徴とする請求項４記載の画像形成方法。
【請求項６】
前記所望の画像出力データを生成するための画像処理演算を実行する演算回路の演算結果が特定の条件に一致した場合に、該特定の条件別に、該演算結果を基として出力値を変化させる工程を備えたことを特徴とする請求項４又は５記載の画像形成方法。
【発明の詳細な説明】
【技術分野】
【０００１】
本発明は、画像処理機能を複数所有するカラーデジタル複合機テスト機能を備えた画像形成装置及びその画像形成方法に関する。
【背景技術】
【０００２】
従来の画像処理装置を搭載する複写機等において、製品の完成度が低くランダムに異常画像が発生してしまうような場合、これを検証する方法としては、何度も画像データを流してみて、オシロスコープのような計測器により画像処理部の上流から順次画像データを計測し、異常画像をオシロスコープの波形の形で認識する必要があった。この作業は、何度もオシロスコープでの計測が必要であり、相当に時間のかかる作業であった。また、オシロスコープの波形では、簡単にわかりにくいこともあり、操作に熟練が必要であった。更に、オシロスコープ自体持ち運びに適してなく、誰にでもオシロスコープを使用できるというわけでないこと等も問題であった。このような従来法に対して、特許文献１には、画像処理装置の有する複数の画像処理手段の中で、どの画像処理手段で異常が発生したかを簡単に確認できる画像形成装置に関する技術が開示されている。
【特許文献１】特開平９−３２１９４９号公報
【発明の開示】
【発明が解決しようとする課題】
【０００３】
しかし、画像処理の演算結果によりＣＰＵに対して単に割り込みを出力するような処理の場合、特にＡＳＩＣ内に画像処理演算が複数ある場合等は各設定パラメータに応じた内部の詳細出力結果がわかり難い場合が生じる。つまり、画像の異常に対して修正をかけるために、パラメータ設定等内部情報が必要な場合においては、より細かな画像情報が必要となるが、上述した特許文献１に開示されているような画像形成装置においては、あくまで画像の異常に対して画像処理単位で整合をとることしかできず問題であった。
【０００４】
本発明は、上記のような問題点に鑑み、入力された画像データに画像処理を実施した結果を通常の画像データの代わりに出力、又は着脱可能な外部Ｉ／Ｆに出力するとともに、内部情報を画像データに置き換えることで、良好な画像出力を得るための設定パラメータ調整を簡易化可能とした画像形成装置とその画像形成方法を提供することを目的とする。
【課題を解決するための手段】
【０００５】
請求項１記載の発明は、画像形成装置に通常設けられる画像出力Ｉ／Ｆとは別個の着脱可能な画像出力Ｉ／Ｆと、所望の画像出力データを生成するための画像処理演算の途中又は演算終了した画像データ、及び、該画像データからなる画像データ信号の演算実行位置を示す画像基準信号を、任意の出力先へセレクト出力可能とする手段とを備えた画像形成装置としたことを特徴とする。
【０００６】
請求項２記載の発明は、前記所望の画像出力データを生成するための画像処理演算を実行する演算回路の演算結果が特定の条件に一致した場合に、該演算結果からなる固定データを、任意の出力先へ出力する出力モードを設けた請求項１記載の画像形成装置としたことを特徴とする。
【０００７】
請求項３記載の発明は、前記所望の画像出力データを生成するための画像処理演算を実行する演算回路の演算結果が特定の条件に一致した場合に、該特定の条件別に、該演算結果を基として出力値を変化させる請求項１又は２記載の画像形成装置としたことを特徴とする。
【０００８】
請求項４記載の発明は、画像形成装置に通常設けられる画像出力Ｉ／Ｆとは別個に設けられた着脱可能な画像出力Ｉ／Ｆを用いて、所望の画像出力データを生成するための画像処理演算の途中又は演算終了した画像データ、及び、該画像データからなる画像データ信号の演算実行位置を示す画像基準信号を、任意の出力先へセレクト出力可能とする工程を備えた画像形成方法としたことを特徴とする。
【０００９】
請求項５記載の発明は、前記所望の画像出力データを生成するための画像処理演算を実行する演算回路の演算結果が特定の条件に一致した場合に、前記画像形成装置に設けられた固定データ出力モードにより、該演算結果からなる固定データを、任意の出力先へ出力する工程を備えた請求項４記載の画像形成方法としたことを特徴とする。
【００１０】
請求項６記載の発明は、前記所望の画像出力データを生成するための画像処理演算を実行する演算回路の演算結果が特定の条件に一致した場合に、該特定の条件別に、該演算結果を基として出力値を変化させる工程を備えた請求項４又は５記載の画像形成方法としたことを特徴とする。
【発明の効果】
【００１１】
本発明によれば、入力された画像データに画像処理を実施した結果を通常の画像データの代わりに出力、又は着脱可能な外部Ｉ／Ｆに出力するとともに、内部情報を画像データに置き換えることで、良好な画像出力を得るための設定パラメータ調整を簡易化することができる。
【発明を実施するための最良の形態】
【００１２】
本発明を実施するための最良の形態は、画像形成装置に通常設けられる画像出力Ｉ／Ｆとは別個に、着脱可能な画像出力Ｉ／Ｆを設けると共に、所望の画像出力データを生成するための画像処理演算の途中又は演算終了した画像データ、及び、該画像データからなる画像データ信号の演算実行位置を示す画像基準信号を、任意の出力先へセレクト出力可能とする手段を設ける。
【実施例】
【００１３】
以下に、本発明の好適な実施例を添付図面に基づいて詳細に説明する。尚、以下に述べる実施例は本発明の好適な具体例であるから、技術的に好ましい種々の限定が付されているが、本発明の範囲は、以下の説明において特に本発明を限定する旨の記載がない限り、これらの実施例に限られるものではない。
【００１４】
まず、本発明が適用される画像形成装置の概略的な回路構成について図１を用いて以下に説明する。図１は、本実施例の画像形成装置の概略的な回路構成を示すブロック図である。本実施例の画像形成装置の回路構成は、システムの制御を行うコントローラ１１０とエンジン部１２０とを接続した構成となっている。そして、コントローラ１１０は、複合機全体の制御と描画、通信、操作部１３０からの入力を制御する。また、ネットワークＩ／Ｆ部１１８を通してサーバ１００とＰＣ端末１０１がＬＡＮを介して接続される。
【００１５】
また、ＡＣ電源よりＤＣ電源を各ユニットへ給電するＰＳＵ１７０を備える。エンジン部１２０は、スキャナ１４０とプロッタ１５０とを有し、ＡＣＳ、フィルタ、誤差拡散やγ変換などの画像処理を行う画像処理部１２１を含むＡＳＩＣ１２２とＣＰＵ１２３及びＲＯＭ１２４を有している。コントローラ１１０は、システムメモリ１１１と、各種データ格納用メモリ１１２と、制御ＡＳＩＣ１１３と、ＣＰＵ１１４と、ＩＤを含む制御データ格納用のＮＶＲＡＭ１１６と、給電制御手段１１７により構成されている。
【００１６】
更に、本実施例の画像形成装置の回路構成においては、ＦＡＸ制御ユニット１８０をＰＣＩ接続で選択可能な構成としている。そして、ＦＡＸ制御ユニット１８０は、ＦＡＸ制御を行うＣＰＵ１８１、ＲＯＭ１８２、ＡＳＩＣ１８３、ＦＡＸ画像データを蓄積するメモリ１８４、及び網制御のＮＣＵ１８５とを備える。なお、ユニット間の接続はＰＣＩ接続としたが、制御が可能なローカルバス等にしても良い。
【００１７】
次に、本実施例の詳細な内容を添付図面を用いて以下に説明する。ここではカラー機能を搭載した画像処理として、ＲＧＢ信号が図１に示す画像処理部１２１内に入力された場合に、本実施例の適用によって、図４に示す画像処理演算Ａ２１１（色判定ブロック：カラー原稿自動判定部）における内部信号出力を得る場合を例として、以下に説明する。
【００１８】
まず、図４を用いて、カラー機能を搭載した画像処理として、ＲＧＢ信号が図１に示す画像処理部１２１内に入力された場合について説明する。図１に示す画像処理部１２１から出力される画像の通常出力の流れは、図４に示す、画像入力、制御信号入力から、画像処理演算Ａ（色判定ブロック）２１１、画像処理演算Ｂ２１２、セレクタＡ２１３の順の経路により出力される。そして、本実施例の特徴は、図４に示すように、画像処理演算Ａ（色判定ブロック）２１１における内部信号出力（テストＩ／Ｆ出力：図４参照。）を得るための構成を設けたことにある。この画像処理演算Ａ（色判定ブロック）２１１における内部信号出力は、図４に示すセレクタＢ２１５から得ることができる。
【００１９】
以下に図４を用いて、本実施例をより具体的に説明する。図４に示すように、まず、スキャナからの入力信号であるＲinＧinＢin各信号（各色１画素８ｂｉｔデータ）とその制御信号が、画像処理演算Ａ２１１に入力される。通常は、図４に示す画像処理演算Ａ２１１を通って出力された画像信号Ｒ1Ｇ1Ｂ1各信号は制御信号と共に、画像処理演算Ｂ２１２に入力され、画像処理された画像信号Ｒ2Ｇ2Ｂ2が出力される。ここで、セレクタＡは、通常の画像出力（Ｒ01Ｇ01Ｂ01）パスであり、通常の画像出力は、ＰＣＩ部を通じてコントローラ側の不揮発メモリ１１２へ蓄積される（図１参照。）。
【００２０】
一方、セレクタＢ２１５は、テスト出力（Ｒ02Ｇ02Ｂ02）パスであり、図１に示すテスト出力部を通じて、画像データ（テスト出力）は、別の着脱可能な記憶装置（図１：大容量記憶装置２０２）へ蓄積される。また、図４に示す画像処理演算Ａ２１１においてテスト用に出力されたＲTＧTＢT各画像信号は、そのテスト出力用の遅延情報を付加した制御信号と共に画像処理演算内部データセレクタＡ２１４へ入力される。画像処理演算内部データセレクタＡ２１４は、画像処理演算Ｂ２１２を通さないため、画像処理演算Ｂ２１２の処理前後のデータをそれぞれセレクタＡ２１３、セレクタＢ２１５を切り替えることで、それぞれのパスへ出力が可能なため、画像処理演算Ｂ２１２に必要なパラメータ等を設定することなしに前後の出力結果を容易に得ることが可能となる。セレクタＡ２１３、セレクタＢ２１５、画像処理演算内部データセレクタＡ２１４は、図１に示すＣＰＵ１２３により、ＡＳＩＣ１２２（図１参照。）内部レジスタ設定により切替可能な構成にすることで必要な画像出力パス設定が可能となる。
【００２１】
本実施例によれば、図４に示すように、まず、画像処理演算Ａ（色判定ブロック）２１１において、スキャナからの入力信号であるＲＧＢ各信号を主走査方向に１６画素１ブロックとしてそれぞれ加算させ、最大値及び最小値を算出し、その差がパラメータで定めた閾値を超えた場合に、通常出力を得るための画像パスとは別のＩ／Ｆ（図４に示す画像処理演算内部データセレクタＡ２１４）へカラー成分画像データとして出力することを可能とする。ここでカラー成分画像データを仮に１画素２５６階調としてＲＧＢとも０ｘＦＦとしてブロック毎に更新させ出力させる。
【００２２】
また副走査方向に数ライン連続性を持たせるためにＯＲ処理やＡＮＤ処理を加える場合もあり、毎ライン出力せず特定ラインに一度出力させるようにしてもよい。
出力信号は、図１に示すテスト出力部に着脱可能な大容量記憶装置２０２上に蓄積されＰＣ２０１でデータ参照することにより通常の複写動作と並行に途中の出力結果の参照を行うことが可能となる。
【００２３】
また、図４に示すセレクタＡ２０３を切り替えることにより画像パスを経由させるようにし、画像データとして記録紙上に印字させても良い。実際にはＲＧＢともに０ｘＦＦデータのため、その部分は図２に示すように黒データとなる。その箇所がカラー原稿判定の要素を持つエリアであり、誤検知しないような閾値を設定させれば良い。
【００２４】
また、画像パスを経由させることで更に図１に示すネットワークＩ／Ｆ１１８を用いて様々な原稿に対して閾値の変化を蓄積させ、閾値決定の参考データとすることも考えられる。また、演算開始位置及び終了位置をパラメータにより設定可能とし、その演算処理した画像位置を示す基準信号を画像信号に付加することを可能とする。図３に示すように、主走査方向及び副走査方向のエリアを示す部分に対して黒画素となるようにＲＧＢデータを０ｘＦＦとさせれば良い。その場合はエリアと閾値を区別するために閾値を越えた場合にはＲデータのみ０ｘＦＦとして出力することを可能とする。
【００２５】
更に、閾値に幅を持たせることにより、閾値は越えないが、閾値に近ければＧデータのみ０ｘＦＦとしたり、閾値を遥かに超えた場合にはＢデータのみ０ｘＦＦとさせることも考えられる。また、副走査方向にも連続性を検出するパラメータの閾値が一定条件を満たした場合（＝該当頁はカラー原稿と判定）とした場合はその時点からＲＧＢの値を全て０ｘＦＦに変化させるように制御しても良い。参考例としてカラー原稿判定部について書いたがフィルタ処理等パラメータ閾値と演算結果を比較している画像処理に対して同様に実施可能である。
【００２６】
以上説明したように、本実施例によれば、複数の画像処理演算結果の組み合わせにより画像生成をする場合において、その各内部データに対応した画像基準位置信号が画像信号とともにメモリ及び画像出力手段に出力されるため、それぞれの画像処理実施結果の位置情報及び判別結果を容易に判断することが可能となる。
また、画像処理演算が入力画像に対して所望の出力となっているか否か、また、エリア毎に誤判定していないか容易に判断することができる。
更に、所望の画像出力データを生成するための画像処理演算を実行する演算回路の演算結果が特定の条件に一致した場合に、該条件別に、出力値を変化させることで画像データに対して閾値が正しく設定できているかを容易に判断することが可能となる。
【００２７】
次に、本実施例を適用した画像形成装置の構成及び機能について図５を用いて以下に説明する。図５に示すように、この画像形成装置は、例えば原稿画像を複写する複写機能、通信回線を介して画像データを送受信するファクシミリ機能、及び、外部Ｉ／Ｆを介して外部装置から供給される画像データに基づいてプリントするプリンタ機能を備えた画像形成装置、すなわち複合型デジタル画像形成装置（以下、画像形成装置と略称する）として構成される。
【００２８】
図５は、この画像形成装置の内部構造を概略的に示す断面図である。図５に示されたように、本実施例を適用した画像形成装置、例えば、電子写真式デジタル画像形成装置５０は、原稿画像を読み取って画像データを生成する読み取り手段として機能する画像読み取り部、すなわちスキャナ部５０ａ、及び画像データに基づいて画像を形成する画像形成手段として機能する画像形成部すなわちプリンタ部５０ｂを有している。また、画像形成装置５０は、このスキャナ部５０ａの上部に、搬送手段としての原稿自動給送装置５１を備え、スキャナ部５０ａの後述する原稿台すなわち原稿テーブルに対して開閉可能に形成されて読み取り対象物としての原稿Ｄを原稿台に向けて１枚ずつ給送するとともに、原稿台に載置された原稿Ｄを原稿台にも密着させる原稿押さえとして機能するようにしている。
【００２９】
スキャナ部５０ａは、その上部に、閉じた状態にある原稿自動給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール５３と、を有している。
【００３０】
原稿テーブル５２の下方には、原稿テーブル５２に載置された原稿Ｄを照明する露光ランプ５４、露光ランプ５４からの光ビームを原稿Ｄに集光させるための補助反射板５８、及び、原稿Ｄからの反射ビームを図中左方向に折り曲げる第１ミラー５６などが配置されている。露光ランプ５４、補助反射板５８及び第１ミラー５６は、第１キャリッジ５７に固定されており、第１キャリッジ５７の移動にともなって原稿テーブル５２と平行に移動可能に配置されている。なお、第１キャリッジ５７は、図示しない歯つきベルト等を介して図示しないパルスモータの駆動力が伝達されて、原稿テーブル５２に沿って平行に移動される。
【００３１】
原稿テーブル５２の図中左方、すなわち第１ミラー５６により反射された反射ビームが案内される方向には、第２キャリッジ５９が配設されている。第２キャリッジ５９には、第１ミラー５６により案内される原稿Ｄからの反射ビームを下方に折り曲げる第２ミラー６０、及び図中右方に折り曲げる第３ミラー６１が互いに直角に配置されている。第２キャリッジ５９は、第１キャリッジ５７を駆動する図示しない歯つきベルトなどにより第１キャリッジ５７に従動されるとともに、第１キャリッジ５７に対して１／２の速度で原稿テーブル５２に沿って平行に移動される。
【００３２】
第１キャリッジ５７の下方であって、第２キャリッジ５９を介して折り返されたビームの光軸を含む面内には、第２キャリッジ５９からの反射ビームを所定の倍率で結像させる結像レンズ６２、及び、結像レンズ６２により集束性が与えられた反射ビームを電気信号すなわち画像データに変換する複数のＣＣＤイメージセンサからなるラインセンサ６３が配置されている。
【００３３】
なお、ここでは、ラインセンサ６３における複数のＣＣＤイメージセンサが配列されている方向を主走査方向とし、第１キャリッジ５７及び第２キャリッジ５９が移動する方向を副走査方向とする。本実施例では、この読み取り装置部分は、スキャナ部５０ａを固定させ、原稿自動給送装置５１により、原稿を搬送させながら画像を読み取る、シートスルータイプの画像読み取りシステムとなっている。
【００３４】
次に、プリンタ部５０ｂについて説明する。プリンタ部５０ｂは、感光体ドラム１２と、帯電チャージャ１３と、現像ユニット１４、１５と、除電ランプ（ＰＴＬ）１７と、転写チャージャ１８と、分離チャージャ１９と、イレーサ２０と、クリーニングユニット２１と、ポリゴンミラー（レーザ光発生器）２２と、光学系（レンズ）２３と、を有し、画像メモリに記憶された画像データの画像形成、出力を行う。
【００３５】
すなわち、感光体ドラム１２を矢示方向に回転させると同時に、感光体ドラム１２上に付着した残留トナー及び不均一な電位が帯電チャージャ１３及び現像ユニット１４、１５に到達しないように、除電ランプ（ＱＬ）１６、転写前除電ランプ（ＰＴＬ）１７、転写チャージャ１８、分離チャージャ１９、イレーサ２０、及びクリーニングユニット２１を駆動して、除電ランプ１６を通過した後の感光体ドラム１２の表面電位が略ゼロになるようにする。
【００３６】
その後、感光体ドラム１２の表面を帯電チャージャ１３により一様に帯電すると共に、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、反射光が光学系（レンズ）２３、及びミラー２４を介して感光体ドラム１２の表面を照射して静電潜像を形成する。
【００３７】
次いで、感光体ドラム１２上に形成された潜像を、非画像部（画像作成領域からはみ出した不要部分）の電荷をイレーサ２０によって除去した後、黒トナーにより現像を行う黒現像ユニット１４あるいはカラートナーにより現像を行うカラー現像ユニット１５よりトナーを付着して可視像化する。このとき、現像バイアス電位を変化させることにより、画像の濃淡を調整することができる。
【００３８】
他方において、図示しないメインモータの駆動を選択的に取り出せる給紙クラッチのＯＮにより呼出コロ２５及び３個の給紙コロ２６のいずれかを駆動し、予め選択された給紙段（後述する）にセットされている記録紙を停止中のレジストローラ対２７に向けて給紙させる。レジストローラ対２７の手前にはレジストセンサ２８が配設されており、レジストセンサ２８は例えば反射型フォトセンサであり、その対向位置に記録紙の先端が到達するとＯＮ状態になる。それから、一定時間経過後に給紙クラッチをＯＦＦ状態に戻して、搬送中の記録紙を停止させる。
【００３９】
なお、給紙クラッチのＯＦＦのタイミングは、レジストセンサ２８とレジストローラ対２７の間を記録紙が搬送される時間より長くとられている。従って、記録紙は先端がレジストローラ対２７に突き当てられ、先端側にたわみを生じてスキュー等を防止する状態で待機する。その後、感光体ドラム１２上の画像先端に合わせたタイミングでレジストクラッチをＯＮ状態にし、それによってレジストローラ対２７が回転駆動されることにより、待機中の記録紙を転写部へ向けて再搬送する。
【００４０】
記録紙が転写部に到達すると、転写チャージャ１８の作用によって感光体ドラム１２上のトナー像を紙面上に転写し、続いて転写チャージャ１８と一体に保持されている分離チャージャ１９の作用によって紙面上の帯電電位を下げて記録紙と感光体ドラム１２との密着力を低下させた後、分離爪２９によって、記録紙を感光体面から分離する。
【００４１】
次いで、記録紙を２個のローラによって張装された搬送ベルト３０によって定着部へ送り、定着ローラ３１によってトナー像を熱定着し、その後コピーモードとして片面モードが選択されていれば切替爪３２の切り替えによって下側の再給紙用搬送経路３３へ送り込む。
【００４２】
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、更に、残存電荷を消去するために感光面を除電ランプ１６によって前面露光させる。
【００４３】
ところで、この複写機には、特定サイズの記録紙のみをまとめて収納できる通常の給紙カセットとして、それぞれ異なるサイズの記録紙をセットした３つの給紙カセット３４〜３６を着脱可能に備え、またいずれの給紙カセットにも収納されていない記録紙、すなわち不特定サイズの記録紙をセットできる手差しテーブル（手差しトレイ）３７をも備えている。
【００４４】
そして、各給紙カセット３４〜３６のいずれかに収納されている記録紙を用いてコピーする場合は、カセットサイズを図示しない操作パネル上のサイズ選択キーによって選択した後、コピースタートキーを押下することにより、給紙カセットから記録紙の給紙が行われる。
【００４５】
なお、３８ａ〜３８ｃは、各給紙カセット３４〜３６の各収納用紙サイズを検知するためのサイズ検知センサであり、例えば５連のフォトインタラプタを使用する。また、各給紙カセット３４〜３６の先端部には、それぞれ図示しないサイズ識別用の遮光板が付設されている。この遮光板はカセット内に収納されるべき記録紙のサイズ毎に異なる切欠部を有している。
【００４６】
サイズ検知センサ３８ａ〜３８ｃは、給紙カセット３４〜３６が装着されると、遮光板の遮光部を挟んだフォトインタラプタのみが光路を遮断されるため、それに応じた信号（コード）をそれぞれ制御部へ出力することができる。なお、制御部はＣＰＵ等である。一方、不特定サイズの記録紙を用いてコピーする場合には、手差しテーブル３７を仮想線で示す閉じた状態から矢示Ａ方向に開いて実線で示す使用状態にした後、その上面に所望の記録紙をセットして、コピースタートキーを押下することにより、手差しテーブル３７から記録紙の給紙が行われる。
【００４７】
なお、手差しテーブル３７が開く方向に回動すると、第１給紙カセット３４に設けられている記録紙載置用の底板を持ち上げていた底板上昇アーム３９がそれに連動して下降する。また、この複写機の手差しテーブル３７に対向する位置には、手差しテーブル３７の開閉を検知するための図示しない開閉検知センサが設置されている。
【図面の簡単な説明】
【００４８】
【図１】本実施例の画像形成装置の概略的な回路構成を示すブロック図である。
【図２】本実施例における第１のテスト出力結果を示す図である。
【図３】本実施例における第２のテスト出力結果を示す図である。
【図４】本実施例の画像形成装置のカラー原稿自動判定部における画像処理演算（色判定ブロック）の内部信号出力を得るための回路構成を示すブロック図である。
【図５】本実施例が適用される画像処理装置の構成断面図である。
【符号の説明】
【００４９】
１００    サーバー
１０１    ＰＣ端末
１０２    大容量記憶装置
１１０    コントローラ
１１１    ＲＯＭ
１１２    各種データ格納用メモリ
１１３    制御ＡＳＩＣ
１１４    ＣＰＵ
１１６    ＮＶＲＡＭ
１１７    給電制御手段
１１８    ネットワークＩ／Ｆ
１２０    エンジン部
１２１    画像処理部
１２２    ＡＳＩＣ
１２３    ＣＰＵ
１２４    ＲＯＭ
１３０    操作部
１４０    スキャナ
１５０    プロッタ
１６０    ＡＤＦ
１７０    ＰＳＵ
１８０    ＦＡＸ制御ユニット
１８１    ＣＰＵ
１８２    ＲＯＭ
１８３    ＡＳＩＣ
１８４    揮発性メモリ
１８５    ＮＣＵ
２０１    ＰＣ
２０２    大容量記憶装置
２１１    画像処理演算Ａ（色判定ブロック）
２１２    画像処理演算Ｂ
２１３    セレクタＡ
２１４    画像処理演算内部データセレクタＡ
２１５    セレクタＢ
【図１】
2006013635.tif 000003
【図２】
2006013635.tif 000004
【図３】
2006013635.tif 000005
【図４】
2006013635.tif 000006
【図５】
2006013635.tif 000007